(57)【要約】      （修正有）【課題】ユーザーの携帯通信装置から警察へ通報して映像を保存し、車両盗難防止及び遺失後の追跡根拠を達成する盗難防止装置を提供する。【解決手段】盗難防止装置は、主に機体Ａを設置し、機体Ａには制御回路を設置する。制御回路には複数のセンサー部品２及び撮影部品３を連接し、更に制御回路には音声モジュール及び無線通信及びＧＰＲＳモジュールを連接する。そして各撮影部品を車両内部の見えない位置に設置することで、窃盗犯が車内に侵入した時、センサー部品の感知に拠って撮影部品３が始動し、制御回路から映像をユーザーの携帯通信装置６へ伝送する。【選択図】図１
0003183587.tif 000002
【実用新案登録請求の範囲】
【請求項１】
制御回路を設置し、制御回路には複数のセンサー部品及び撮影部品を連接し、制御回路には更に音声モジュール及び無線通信及びＧＰＲＳモジュールを連接して、少なくとも一組の携帯通信装置の番号に保存する機体と、
ＡＰＰプログラムを設置し、機体の伝送信号を受信し、ＡＰＰプログラムで各種機能をコントロールする少なくとも一携帯通信装置を含む盗難防止装置において、
各センサー部品を車両のカードアに設置し、各撮影部品を車両内部の見えない位置に設置し、駐車時には音声モジュールに依る所在の位置の情報を入力し、窃盗犯が車内に侵入した時、センサー部品の感知に拠って、撮影部品が始動して撮影を開始し、映像を制御回路で収集して転換した後、無線通信及びＧＰＲＳモジュールによって保存した携帯通信装置の番号へ自動で発信し、映像をユーザーの携帯通信装置へ伝送し、ユーザーは携帯通信装置から警察へ通報し、映像を保存し、同時に車両位置を全地球測位システムＧＰＳで警察局へ伝送し、車両盗難防止及び遺失後の追跡根拠を達成することを特徴とする盗難防止装置。
【請求項２】
前記センサー部品は、磁気バネスイッチもしくは圧力感知スイッチであることを特徴とする請求項１記載の盗難防止装置。
【請求項３】
前記携帯通信装置はスマートフォン、もしくはタブレットパソコンであることを特徴とする請求項１記載の盗難防止装置。
【考案の詳細な説明】
【技術分野】
【０００１】
本考案は、盗難防止装置に関するもので、特に駐車時の窃盗犯が侵入した時、センサー部品に依るセンサーで、その映像をユーザーのスマートフォンへ伝送し、ユーザーからスマートフォンで警察へ通報し、その映像を保存することで、車両の盗難防止及び遺失後の追跡証拠を達成する車両の盗難防止装置に係わる。
【背景技術】
【０００２】
一般に駐車時、ユーザーは盗難防止装置をセットし、盗難防止装置を待機状態にしておく。窃盗犯が侵入した時、従来の盗難防止装置は、警報機が鳴る他に、ユーザーは現場の状況及び映像に対して完全に把握できない。更に初動時に通報できないため、窃盗犯を取り逃がすだけではなく、現在の盗難防止装置では、遺失後の追跡に対して如何なる手がかりも警察に提供できない。
【先行技術文献】
【特許文献】
【０００３】
【特許文献１】特開２００３−１１２６０４号公報
【特許文献１】特開２０１２−１９１５３２号公報
【考案の概要】
【考案が解決しようとする課題】
【０００４】
解決しようとする問題点は、窃盗犯が侵入した時にすぐにわかっても警察に通報できず、証拠となる手がかりの映像を提供できないため、犯人を取り逃がしてしまう点である。
【課題を解決するための手段】
【０００５】
本考案は、主に機体を設置し、機体には制御回路を設置する。制御回路には複数のセンサー部品及び撮影部品を連接し、更に制御回路には音声モジュール及び無線通信及びＧＰＲＳモジュールを連接する。そして各撮影部品を車両内部の見えない位置に設置することで、窃盗犯が車内に侵入した時、センサー部品の感知に拠って撮影部品が始動し、制御回路から映像をユーザーの携帯通信装置へ伝送することを最も主要な特徴とする。
【考案の効果】
【０００６】
本考案の盗難防止装置は、ユーザーの携帯通信装置から警察へ通報して映像を保存し、車両盗難防止及び遺失後の追跡根拠を達成するという利点がある。
【図面の簡単な説明】
【０００７】
【図１】本考案の立体図である。
【図２】本考案の装置実施例図である。
【図３】本考案の良好な実施例で回路ブロック・ダイアグラムである。
【図４】本考案の携帯通信装置の操作制御の実施例図である。
【図５】本考案の使用実施例図である。
【考案を実施するための形態】
【０００８】
車両の駐車時に窃盗犯に侵入された時にセンサー部品の感知に拠って、映像をユーザーの携帯通信装置に伝送し、ユーザーの携帯通信装置で警察に通報して映像を保存し、車両盗難防止及び遺失後の追跡の根拠を達成し，盗難防止効果を向上させる盗難防止装置を提供することを本考案の主な目的とする。
【０００９】
前述の車両盗難防止装置は、機体を設置する。機体は制御回路を設置し、制御回路を複数のセンサー部品及び撮影部品に連接し、更に制御回路から音声モジュール及び無線通信及びＧＰＲＳモジュールに連接し、各撮影部品を車両内部の見えない位置に設置する。窃盗犯が侵入すると、センサー部品の感知に拠って、撮影部品が始動して制御回路を経て映像をユーザーの携帯通信装置へ伝送する。ユーザーの携帯通信装置で警察へ通報し、映像を保存することで、車両盗難防止及び遺失後の追跡根拠，及び全地球測位システムＧＰＳに依る捜査を達成する。
【００１０】
前述の車両の盗難防止装置，そのうちの無線通信及びＧＰＲＳモジュールはコミュニケーションネットワーク、ＷｉＦｉもしくは高周波受信、回路発信等とする。
【実施例】
【００１１】
図１及び図２並びに図３に示すのは、本考案の立体図、装置実施例図及び良好な実施例回路ブロック・ダイアグラムである。図に示すとおり、本考案は機体Ａを設置し、機体Ａには制御回路１を設置し、制御回路１で複数のセンサー部品２及び撮影部品３に連接する。更に制御回路１で音声モジュール４及び無線通信及びＧＰＲＳモジュール５を連接する。そのうち該複数のセンサー部品２は磁気バネスイッチ、圧力感知スイッチ等とする。該無線通信及びＧＰＲＳモジュール５は無線ＬＡＮ、ＷｉＦｉもしくは高周波受信、回路発信等とする。本実施例ではコミュニケーションネットワークＢとしてＳＩＭカード１１を含み、制御回路１は特定行動通訊番号を備えた通信装置として，制御回路１は携帯通信装置６の番号を入力する。
【００１２】  少なくとも一携帯通信装置６はＡＰＰプログラムを設置し、機体Ａの伝送信号を受信する。更にＡＰＰプログラムコントロールの各種機能については本実施例において、該携帯通信装置６はスマートフォン、（公序良俗違反につき、不掲載）もしくはタブレットパソコン等とする。【００１３】
前述部品を組み立てて車両の盗難防止装置が構成される。各センサー部品２を車両７のカードア７１に設置し、各撮影部品３を車両７内部の見えない位置に設置する。駐車時に音声モジュール４によって所在の位置情報を入力し、窃盗犯が侵入すると、センサー部品２の感知によって、撮影部品３が始動して撮影を開始し、映像を制御回路１から収集して転換した後、無線通信及びＧＰＲＳモジュール５によって保存した携帯通信装置６の番号へ自動的に発信し、映像をコミュニケーションネットワークＢでユーザーの携帯通信装置６へ伝送する。ユーザーの携帯通信装置６から警察へ通報し、映像を保存し、同時に車両位置を全地球測位システムＧＰＳ８で警察局９へ伝送し、車両盗難防止及び遺失後の追跡、捜査の根拠を達成する。
【００１４】
図４に示すのは、本考案の携帯通信装置コントロール実施例図である。図１及び図３と共に示すとおり、本考案の携帯通信装置６はＡＰＰプログラムを設置し、機体Ａの伝送信号を受信し、ＡＰＰプログラムコントロール各種機能に依る。本実施例では、携帯通信装置６は先ず通報電話（例として１１０等）を保存し、その携帯通信装置６が機体Ａの伝送信号を受信した時、スクリーン６１に通報、現場状況及び通報解除の少なくとも三種コントロール機能を表示し、ユーザーに選択させる。そのコントロール状態は、以下のとおりである。
【００１５】
先ず、ユーザーは現場状況を押して、スクリーン６１に窃盗犯が車内に侵入する映像を表示し、映像を保存する。同時にＧＰＲＳを車主に発信する。
【００１６】  次にユーザーは即時に通報を押し、携帯通信装置６で警察へ自動発信する。無線通信及びＧＰＲＳモジュール５の全地球測位システムＧＰＳ８によって警察局９に伝送するか、もしくは、画面を直接警察局９へショートメールで送る。警察局９には同時に車両位置の（公序良俗違反につき、不掲載）マップを提示し、警察は先回りして窃盗犯を逮捕することができる。【００１７】
仮に誤作動で窃盗犯侵入ではない時には、ユーザーは警報解除を押し、警報状態を解除することで、機体Ａを待機状態に戻す。
【００１８】  図５は本考案の使用実施例図である。合わせて図３も参照するとおり、本考案に於いて、窃盗犯が侵入した時、車両７のカードア７１は非合法で開けられたため、カードア７１に設置したセンサー部品２が異常信号を感知し、制御回路１が撮影部品３を始動して撮影を開始する。更に映像を制御回路１で収集して転換した後、無線通信及びＧＰＲＳモジュール５によって保存した携帯通信装置６の番号へ自動発信し、コミュニケーションネットワークＢを経て映像をユーザーの携帯通信装置６へ伝送する。ユーザーは、携帯通信装置６のスクリーン６１から映像を見て、警察へ通報し、映像を保存するかどうかを選択する。同時に車両位置を全地球測位システムＧＰＳ８で警察局９へ伝送することで、車両盗難防止及び遺失後の追跡根拠を達成する。更に警察局に同時に車両位置の（公序良俗違反につき、不掲載）ストリートマップを提示することで、警察は先回りをして窃盗犯を逮捕することができる。【００１９】
上述のとおり、本考案は無線通信モジュールに複数のセンサー部品を組み合わせることで、車両盗難防止装置を構成し、車両が駐車時に窃盗が侵入してセンサー部品が感知すると、映像をユーザーの携帯通信装置へ伝送し、ユーザーの携帯通信装置から警察へ通報し、映像を保存し、車両盗難防止及び遺失後の追跡の根拠を達成し，盗難防止効果を向上させる。
【符号の説明】
【００２０】
Ａ        機体
１        制御回路
１１      ＳＩＭカード
２        センサー部品
３        撮影部品
４        音声モジュール
５        無線通信及びＧＰＲＳモジュール
６        携帯通信装置
６１      スクリーン
７        車両
７１      カードア
８        全地球測位システムＧＰＳ
９        警察局
Ｂ        コミュニケーションネットワーク
【図１】
0003183587.tif 000003
【図２】
0003183587.tif 000004
【図３】
0003183587.tif 000005
【図４】
0003183587.tif 000006
【図５】
0003183587.tif 000007
【手続補正書】
【提出日】平成25年3月19日(2013.3.19)
【手続補正１】
【補正対象書類名】明細書
【補正対象項目名】００１２
【補正方法】変更
【補正の内容】
【００１２】
少なくとも一携帯通信装置６はＡＰＰプログラムを設置し、機体Ａの伝送信号を受信する。更にＡＰＰプログラムコントロールの各種機能については本実施例において、該携帯通信装置６はスマートフォン、もしくはタブレットパソコン等とする。
【手続補正２】
【補正対象書類名】明細書
【補正対象項目名】００１６
【補正方法】変更
【補正の内容】
【００１６】
次にユーザーは即時に通報を押し、携帯通信装置６で警察へ自動発信する。無線通信及びＧＰＲＳモジュール５の全地球測位システムＧＰＳ８によって警察局９に伝送するか、もしくは、画面を直接警察局９へショートメールで送る。警察局９には同時に車両位置のネット上のマップを提示し、警察は先回りして窃盗犯を逮捕することができる。
【手続補正３】
【補正対象書類名】明細書
【補正対象項目名】００１８
【補正方法】変更
【補正の内容】
【００１８】
図５は本考案の使用実施例図である。合わせて図３も参照するとおり、本考案に於いて、窃盗犯が侵入した時、車両７のカードア７１は非合法で開けられたため、カードア７１に設置したセンサー部品２が異常信号を感知し、制御回路１が撮影部品３を始動して撮影を開始する。更に映像を制御回路１で収集して転換した後、無線通信及びＧＰＲＳモジュール５によって保存した携帯通信装置６の番号へ自動発信し、コミュニケーションネットワークＢを経て映像をユーザーの携帯通信装置６へ伝送する。ユーザーは、携帯通信装置６のスクリーン６１から映像を見て、警察へ通報し、映像を保存するかどうかを選択する。同時に車両位置を全地球測位システムＧＰＳ８で警察局９へ伝送することで、車両盗難防止及び遺失後の追跡根拠を達成する。更に警察局に同時に車両位置のネット上のストリートマップを提示することで、警察は先回りをして窃盗犯を逮捕することができる。